(57)【特許請求の範囲】
【請求項１】
製品を収容し、かつ製品の放出を許容するよう意図されている袋（２００）を備える包装であって、
手動変形可能なジャケット（２０１）であって、それ自体の重量の作用の下でそれ自体を変形させるように十分に柔軟な第１の膜を備え、前記第１の膜が、第１の端および第２の端を有する錐台を形成するようにそれ自体において閉じられ、前記錐台の断面が、前記第１の端に近付くにつれて狭まる、手動変形可能なジャケット（２０１）と、
それ自体の重量の作用の下でそれ自体を変形させるように十分に柔軟な第２の膜によって形成され、前記第２の端を閉止するように前記錐台の前記第２の端において封止される基部（２０２）であって、前記基部（２０２）および前記ジャケット（２０１）が、手動変形可能袋（２００）を一体に形成するために、「裏側と裏側」で封止される、基部（２０２）と、
前記製品が放出中に流れるよう意図された閉止デバイス（１００）であって、前記錐台の前記第１の端に封止される袖体（１０２）を備える、閉止デバイス（１００）と、
を備えることを特徴とする包装。
【請求項２】
前記第１の膜が、前記錐台を形成するために、それ自体において閉じられつつ、「裏側に対して外皮」の封止（２０５）によって封止される、請求項１に記載の包装。
【請求項３】
前記基部（２０２）が多角形を有する、請求項１または２に記載の包装。
【請求項４】
前記基部（２０２）がダイヤモンド形を有する、請求項１から３のいずれか一項に記載の包装。
【請求項５】
前記ジャケット（２０１）の前記第２の端が前記基部（２０２）の輪郭の形と合致し、前記基部（２０２）の輪郭が、前記第１の端の方向において前記基部（２０２）から延びる前記ジャケット（２０１）の流路（５００）において形成するように構成される幾何学的形状を有する、請求項１から４のいずれか一項に記載の包装。
【請求項６】
前記基部（２０２）の輪郭が、少なくとも１つの角を有し、前記袋（２００）が、前記基部（２０２）の輪郭によって形成される各々の角から長手方向に延びる流路（５００）を有する、請求項１から５のいずれか一項に記載の包装。
【請求項７】
各々の流路（５００）が、前記ジャケット（２０１）の高さの少なくとも２分の１にわたって、前記袖体（１０２）の方向において前記基部（２０２）から延びる、請求項５または６に記載の包装。
【請求項８】
前記基部（２０２）が、ダイヤモンドの形態であり、前記袋（２００）が、前記ジャケット（２０１）の高さの少なくとも２分の１にわたって、前記袖体（１０２）の方向において前記基部（２０２）の前記ダイヤモンドの各々の角から延びる１つまたはいくつかの流路（５００）を有する、請求項１から７のいずれか一項に記載の包装。
【請求項９】
前記袋（２００）は、使用者の片手または両手によって付与される圧力の作用の下、その容積が、３分の１だけ縮小され得るように構成される、請求項１から８のいずれか一項に記載の包装。
【請求項１０】
前記ジャケット（２０１）および前記基部（２０２）は、前記ジャケット（２０１）へと付与される手動の圧力の作用の下、前記包装の長手方向軸に対して対称に配置される前記ジャケット（２０１）における２点が接触させられるように、十分に柔軟である、請求項１から９のいずれか一項に記載の包装。
【請求項１１】
前記ジャケット（２０１）および前記基部（２０２）は、前記袋（２００）が、使用者による手動の動作の作用の下で、前記基部（２０２）および前記袖体（１０２）を通過する軸の周りに捩じられ得るように構成される、請求項１から１０のいずれか一項に記載の包装。
【請求項１２】
前記ジャケット（２０１）および前記基部（２０２）は、前記基部（２０２）が、使用者による手動の動作の作用の下で、前記基部（２０２）および前記袖体（１０２）を通過する軸の周りに、少なくとも１８０°捩じられ得るように構成される、請求項１から１１のいずれか一項に記載の包装。
【請求項１３】
前記第１の膜および前記第２の膜の少なくとも一方が多層の膜である、請求項１から１２のいずれか一項に記載の包装。
【請求項１４】
前記第１の膜が、１０マイクロメートルから３００マイクロメートルの間の厚さを有し、前記第２の膜が、１０マイクロメートルから３００マイクロメートルの間の厚さを有する、請求項１から１３のいずれか一項に記載の包装。
【請求項１５】
前記基部（２０２）および前記ジャケット（２０１）は同一の膜によって形成される、請求項１から１４のいずれか一項に記載の包装。
【請求項１６】
前記ジャケット（２０１）の前記基部（２０２）との前記封止（４００）が、高さ（４０１）ｈ１にわたって長手方向に延び、前記包装（１）が、高さ（２）ｈ２にわたって長手方向に延び、割合ｈ１／ｈ２が０．００１から０．１の間である、請求項１から１５のいずれか一項に記載の包装。
【請求項１７】
前記袖体（１０２）が前記袋（２００）よりも剛性のある、請求項１から１６のいずれか一項に記載の包装。
【請求項１８】
前記閉止デバイスが、前記袖体と協働するように構成される付属物（１０１）を備え、
使用者によって付与される、有利なことには圧力である、力の作用の下で、互いから離れるように移動するように、および、使用者側で力のないときに前記袋（２００）の内側へのアクセスを防止するように、一体へと相互により近くに移動するように構成されたシリコーンリップ（１０４）が、前記付属物（１０１）に設けられる、請求項１から１７のいずれか一項に記載の包装。
【請求項１９】
請求項１から１８のいずれか一項に記載の包装を製造する方法であって、以下の一連のステップ、すなわち、
膜に前記ジャケット（２０１）の模様を切るステップと、
錐台を形成するために前記ジャケット（２０１）の前記模様を取り扱うステップと、
錐台を形成する前記ジャケットの内面および外面と接触することができる加熱デバイスによって、前記ジャケット（２０１）の「裏側に対して外皮」で封止するステップと、
を含む、製造する方法。
【請求項２０】
錐台を形成するための前記ジャケットの前記封止するステップの後、前記ジャケットを前記袖体（１０２）または前記基部（２０２）のいずれかと封止するステップを含む、請求項１９に記載の製造する方法。
【発明の詳細な説明】
【技術分野】
【０００１】
本発明は、包装の分野に関し、より詳細には、手動で包装に付与される圧力によって、および／または、重力によって放出される物質を収容するように意図されている包装の分野に関する。本発明は、食品、産業、化粧品、家庭用、ならびに薬理的な部門および保健一般において、特に有利な応用を見出せる。
【背景技術】
【０００２】
製菓分野では、例えば、ケーキ用クリームを付着または注出するために、絞り袋の使用が普通である。絞り袋は、異なる断面を持つ２つの端を有する円錐状の袋から成る。大きい方の端は、閉じられておらず、開放している。この種類の装置は、その放出の悪いこと、ストッパのないこと、および、そのためにかなり無駄にしてしまうことを覚悟して内容物を完全に使用する必要があることに関する欠点を有している。さらに、一度開けられると、絞り袋はその形をそれ自体によって維持せず、そのため、それ自体の内容物を注出させることなく作業面に置いておくことができない。しかしながら、絞り袋の使用は、非常に良好な取り扱い性、正確な感覚、それによる重要な「製品」の知覚、送られる一回分の量の非常に良好な制御、および、製品の非常に良好な放出を提供する。
【０００３】
放出は、絞り袋に最初に収容されていた製品の量と、使用の最後に不可避的に残っている内容物との間の割合を意味する。良好な放出とは、容器の内容物全体を抽出するための高い能力を暗示している。
【０００４】
前述の欠点を解決するために、包装の分野は、プラスチックの種類の材料から作られた連続する外部包囲体によって形成されたフラスコ瓶または瓶ならびにチューブも用いている。これらの包装は、絞り袋よりは鉛直の保持が良好になっている。包装は、包装を閉じることを可能にするストッパを通常有している。最後に、包装は、内容物の容易な付着を可能にする。しかしながら、この種類の包装は、製品の放出が非常に小さい。これは、使用の最後において、注出することが不可能である僅かとは言えない製品の量が残っているためである。さらに、包装は、触るのが心地よくない。
【発明の概要】
【発明が解決しようとする課題】
【０００５】
そのため、本発明の１つの目的は、前述の欠点の少なくとも一部を解決する装置を提案することである。
【課題を解決するための手段】
【０００６】
一実施形態によれば、本発明は、製品を収容し、製品の放出を許容するように意図されている袋を備える包装に関し、その包装は、以下のものを備えることを特徴とする。
−  手動変形可能ジャケットであって、それ自体の重量の作用の下で変形するように十分に柔軟である、例えばおよび好ましくは多層の第１の膜を備え、第１の膜が、第１の端および第２の端を有する錐台を形成するようにそれ自体において閉じられ、錐台の断面が、第１の端に近付くにつれて狭まる、手動変形可能ジャケット。
−  それ自体の重量の作用の下で変形するように十分に柔軟である、例えばおよび好ましくは多層の第２の膜によって形成される基部。基部は、第２の端を閉止するように錐台の第２の端において封止される。任意であるが特に有利な実施形態によれば、基部およびジャケットは、手動変形可能袋を一体に形成するために、「裏側と裏側」で封止される。
−  製品が放出の間に流れるために通るように意図されており、錐台の第１の端に封止される袖体を備える閉止デバイス。
【０００７】
この装置は、非常に良好な取り扱い性と、非常に重要な「製品」の感覚および知覚とを提供する。これは、絞り袋の利点、つまり、片手または両手で使用者によって手動で付与される単純な圧力によって変形可能な柔軟な本体を有しているためである。袋の柔軟性は、製品の非常に良好な放出を提供し、付与される圧力の制御を向上する。この制御のレベルは、一回分の量の非常に正確な分配を提供する。最後に、この袋は、柔軟なジャケットの柔軟な基部との協働によって、袖体が上向きとなった状態で、鉛直の保持が向上されている。これは、ジャケットに基づく封止が袋の機械的補強を与えるためである。この封止は、ジャケットの厚さと基部の厚さとの合計である厚さを有する。また、袖体において使用される付属物の種類に応じて、装置は、袖体を上向きにして鉛直に保持され得る。この有利な配置は、柔軟な袋の内側の製品の流れを容易にする。
【０００８】
別の態様によれば、本発明は、本発明の包装を製造するための方法に関し、その方法は、以下の一連のステップを含む。
−  膜からジャケットの模様を切るステップ。
−  錐台を形成するためにジャケットの模様を取り扱うステップ。
−  錐台を形成するジャケットの内面および外面と接触することができる加熱デバイスによって、ジャケットの「裏側に対して外皮」で封止するステップ。
【０００９】
本発明による製造方法が限定的ではないが優先的に有し得る様々な選択肢が、以下に記されており、これらの選択肢は、単一、または、互いとの任意の組み合わせのいずれかで実施することができる。
・錐台を形成するためのジャケットの封止するステップの後、ジャケットを袖体または基部のいずれかと封止するステップ。
・一実施形態によれば、ジャケットを袖体または基部のいずれかからの一方と封止するステップの後、開いたままとなっている錐台の一方の端を通じて包装を製品で満たすステップが実施され、その満たすステップの後、ジャケットを袖体および基部からの他方と封止するステップが実施される。代替で、ジャケットを袖体または基部のいずれかからの一方と封止するステップの後、ジャケットを袖体および基部からの他方と封止するステップが実施され、次に、袖体を通じて包装を製品で満たすステップが実施される。
【００１０】
本発明の目標、目的、特徴、および利点は、以下の添付の図面によって図示されている本発明の実施形態の詳細な記載からより明確に現れることになる。
【図面の簡単な説明】
【００１１】
【図１ａ】蓋および付属物を備えた、本発明による一実施形態による装置の例の斜視図である。
【図１ｂ】本発明を、袖体を下向きにした状態で鉛直に保持させることができる、蓋および付属物を備えた、本発明による実施形態による装置の例の斜視図である。
【図２】カバーが除去されていると共に付属物がシリコーンリップを有している状態での、図１ａに示した装置の別の斜視図である。
【図３】流路が形成される場所の図示を伴う、図１ａに示した装置の下からの図である。
【図４】図１ａで示した装置の前方の断面図である。
【図５】図１ａで示した装置の側方の断面図である。
【図６】変形状況における図１ａで示した装置の断面における図である。
【図７】変形状況における図１ａで示した装置の斜視図である。
【図８】一実施形態による、図１ａで示した本装置を製造するためのラインの概略図である。
【発明を実施するための形態】
【００１２】
図面は、例として与えられており、本発明を限定することはない。図面は、本発明の理解を容易にするように意図されている大まかな概略的な描写を構成しており、必ずしも実際の適用の縮尺通りではない。
【００１３】
本発明の文脈において、ジャケットは、それ自体の重量を支持しない膜によって形成されるとき、「しなやか」または「柔軟」であると言える。好ましくは、ジャケットは、水平に配置されるときにそれ自体によってそれ自体を維持しない膜によって形成され、その端のうちの一方のみによって保持される。好ましくは、膜の幅は２ｃｍ（１０−２ｍ）より大きく、膜の長さは５ｃｍより大きく、膜の厚さは０．０１ｃｍより大きい。一実施形態によれば、膜の厚さは０．００１ｃｍより大きい。好ましくは、膜は、次の寸法、つまり、３ｃｍの長さ、１０ｃｍの幅、および０．０１３ｃｍの厚さを有する。有利なことには、一実施形態によれば、膜は少なくとも０．００１ｃｍの厚さを有する。
【００１４】
本発明の文脈において、「柔軟な袋」という用語またはその相当語句は、とりわけ、使用者の片手または両手によって付与される圧力の作用の下、少なくとも３分の１、好ましくは少なくとも２分の１、優先的には少なくとも３分の２だけ縮小され得る容積として定義されていることも記しておく。この作用は、典型的には、使用者が自身の指を手のひらへと閉じる間の圧縮力である。この容積は、好ましくは、単一の出口を有する。
【００１５】
最後に、本発明の文脈において、手によって付与され得る「標準的な力」という用語は、大人が自身の手で付与できる力として定義されていることを記しておく。
【００１６】
本発明の文脈において、「裏側」という用語は、収容される製品と接触しているように意図されている膜の面として定義されていることも記しておく。
【００１７】
本発明の文脈において、「外皮」という用語は、収容される製品の外部に向かって向けられた膜の面として定義されていることも記しておく。
【００１８】
本発明の文脈において、「放出」という用語は、包装に最初に収容されていた製品の量と、使用の最後に残っており、注出され得ない、または、非常に苦労してのみ注出され得る内容物との間の割合として定義されていることも記しておく。
【００１９】
「長手」方向は、錐台がその最大寸法を有するのに沿う軸に沿って取られることも記しておく。したがって、この軸は、第１の端から第２の端へと、すなわち、基部から閉止デバイスへと延びる。図では、この軸は鉛直である。
【００２０】
「袖体」および「端部品」という用語は、本文書では同じ意味を有していることも記しておく。
【００２１】
特には図を参照して、好ましい実施形態の詳細へと進む前に、本発明が限定的ではないが優先的に提起し得る様々な選択肢が、以下に記されており、これらの選択肢は、単一、または、互いとの任意の組み合わせのいずれかで実施することができる。
・有利なことには、第１の膜は、錐台を形成するために、それ自体において閉じられつつ、「裏側に対して外皮」の封止によって封止される。
【００２２】
この特徴を通じて、本発明の製造は容易にされ、したがって、形成された円錐状の形態が、出口位置に対応する最も小さい断面を持つ端に向かって内容物を自然に案内する。
・有利なことには、第１の膜は、最初に「外皮に対して外皮」で封止され、次に、「裏側と裏側」で封止される。
・有利なことには、ジャケットを構成する膜は、１ｍｍから２０ｍｍの間で、優先的には１ｍｍから５ｍｍの間で、有利なことには５ｍｍに等しいジャケットの幅にわたって錐台を形成するために、「裏側に対して外皮」の封止によって封止される。
・有利なことには、ジャケットの第２の端が基部の輪郭の形態に追従し、基部の輪郭が、第１の端の方向において基部から延びるジャケットの流路において形成するように構成される幾何学的形状を有する。
・有利なことには、ジャケットおよび基部は、基部が、使用者の手動の動作の作用の下で、基部および袖体を通過する軸の周りに捩じられ得るように構成される。
・有利なことには、袋は、片手または両手によって付与される１つまたは複数の圧力の作用の下、４分の１だけ、好ましくは３分の１だけ、優先的には少なくとも２分の１だけ縮小され得る容積を有する。したがって、袋は、使用者の片手または両手によって付与される圧力の作用の下、その容積が、３分の１だけ、優先的には少なくとも２分の１だけ、優先的には少なくとも３分の２だけ縮小されるように構成される。
【００２３】
この特徴は、製品の非常に良好な放出と共に、空のときのかなりの小型化を提供する。
・有利なことには、ジャケットおよび基部は同じ材料から形成される。
・有利なことには、第１の端におけるジャケットの断面の周囲と、基部におけるジャケットの断面の周囲との間の割合が、０．００１から１の間であり、優先的には０．２から０．７の間であり、優先的には０．４から０．５の間である。
・有利なことには、装置１の本体を作り上げる柔軟な袋は、基部およびジャケットから成る。
・有利なことには、第１の膜および第２の膜からの少なくとも一方は、少なくとも１つまたは複数の多層の膜から成る。
・有利なことには、第１の膜および第２の膜は、以下のような様々な利点を提供する多層の膜である。
−  柔軟またはより剛性のある感覚に適合可能な厚さ。
−  製品に触れる知覚。
−  非限定的な例として、紫外線などの特定の種類の放射に対する保護障壁であると共に、包装を密封にすることによる周囲空気に対する保護障壁。
−  包装の外部被覆における印刷の可能性。
−  使用される材料が再利用され得る。
・有利なことには、ジャケットを構成する材料は柔軟である。
・有利なことには、基部を構成する材料は柔軟である。
・有利なことには、基部は丸い形を有する。
・有利なことには、基部は多角形を有する。
・有利なことには、基部は、長手方向に対して直角の平面に多角形を有する。
・有利なことには、基部は多角形を有し、その多角形の角が好ましくは丸められる。
・有利なことには、基部は多角形を有し、その多角形の角が、長手方向に対して直角の平面において丸められる。
・有利なことには、基部はダイヤモンド形を有する。
・有利なことには、基部はダイヤモンド形を有し、そのダイヤモンド形の角が好ましくは丸められる。
・有利なことには、基部は、ジャケット２０１が流路を形成するようにジャケットと協働するように構成される幾何学的形状を有する。
・有利なことには、ジャケットの第２の端が基部の輪郭の形に合致し、基部の輪郭が、第１の端の方向において基部から延びるジャケットの流路において形成するように構成される幾何学的形状を有する。
【００２４】
したがって、袋は流路を形成する。この特徴は、これらの流路内の製品を、包装の使用中に包装に与えられる重力または移動の作用の下で集合させることを可能にする。したがって、これは袋の内側の内容物のより良好な流れを提供する。
・有利なことには、基部は、好ましくは丸められた少なくとも１つの角を有し、袋が、基部の輪郭によって形成される各々の角から長手方向に延びる流路を有する。
・有利なことには、各々の流路が、ジャケットの高さの少なくとも２分の１にわたり、好ましくは少なくとも３分の２にわたり、好ましくはジャケットの全長にわたって、袖体の方向において基部から延びる。
・有利なことには、基部は、丸められた角を持つ多角形を有し、袋は、袋の高さの少なくとも２分の１にわたり、好ましくは少なくとも３分の２にわたり、好ましくは袋の全長にわたって、袖体の方向において基部の各々の角から延びる１つまたは複数の流路を有する。
・有利なことには、基部は、好ましくは丸められた角を持つダイヤモンド形を有し、袋は、ジャケットの高さの少なくとも２分の１にわたり、好ましくは少なくとも３分の２にわたり、好ましくはジャケットの全長にわたって、袖体の方向において基部のダイヤモンドの各々の角から延びる１つまたは複数の流路を有する。
・有利なことには、袋は、基部が使用者によって付与される手動の圧力の作用の下で変形するように構成される。
【００２５】
圧力のない場合、基部は、封止領域を除いて、柔軟な袋に収容されている製品の重量に応じて、平坦または湾曲の形態を有する。袋が手動で圧縮されると、基部は収縮し、それ自体に折り重なる。基部の変形は、製品のより良好な放出を提供する。
・有利なことには、ジャケットおよび基部は、ジャケットへと付与される手動の圧力の作用の下、包装の長手方向軸に対して対称に配置されるジャケットの２点が接触させられるように十分に柔軟である。これは袋２００の放出を向上する。より大まかには、ジャケットおよび基部は、圧力のないときに離れているジャケットの２点が、ジャケットに付与される手動の圧力の作用の下で接触させられるように十分に柔軟である。
・有利なことには、ジャケットおよび基部は、袋が、使用者による手動の動作の作用の下で、基部および袖体を通過する軸の周りに捩じられ得るように構成される。これは、例えば図に対して鉛直な軸である、典型的には長手方向軸の軸である。
・有利なことには、ジャケットおよび基部は、基部が、使用者による手動の動作の作用の下で、基部および袖体を通過する軸の周りに、少なくとも１８０°、好ましくは少なくとも３６０°捩じられ得るように構成される。
【００２６】
これは、ジャケットを裂く危険性なく、より容易でより完全な放出をすることを可能にする。
【００２７】
有利なことには、空であるときに必要な空間が、袋の圧縮によって低減され得る。
【００２８】
この特徴は、使用の終わりに、装置が製品のまったくない空であるとき、装置の容積が低減されるように装置を圧縮することを可能にする。
・有利なことには、第１の膜は、１０マイクロメートルから３００マイクロメートルの間であって、優先的には１０マイクロメートルから２００マイクロメートルの間の厚さを有し、第２の膜は、１０マイクロメートルから３００マイクロメートルの間であって、優先的には１０マイクロメートルから２００マイクロメートルの間の厚さを有する。
・有利なことには、第１の膜は少なくとも４００マイクロメートルの厚さを有する。
・有利なことには、第１の膜と第２の膜とは同一である。
【００２９】
基部およびジャケットについての同じ材料の使用は、容易な製造を可能にすると共に、袋を作り上げる要素の同一の機械的な挙動を提供する。
・有利なことには、ジャケットおよび基部をそれぞれ形成する第１の膜および第２の膜は、柔軟な膜を含む。
・有利なことには、ジャケットおよび基部をそれぞれ形成する第１の膜および第２の膜は、単一の層および／または多層の膜を含む。
・有利なことには、ジャケットおよび基部をそれぞれ形成する第１の膜および第２の膜は、単一の層の膜を含む。
・有利なことには、ジャケットおよび基部をそれぞれ形成する第１の膜および第２の膜は、多層の膜を含む。
・有利なことには、ジャケットおよび基部をそれぞれ形成する第１の膜および第２の膜は、ポリプロピレン（ＯＰＰ）、二軸配向ポリアミド（ＯＰＡ）、アルミニウム、およびポリエチレン（ＰＥ）から作られた多層の膜を含む。
・有利なことには、ジャケットおよび基部をそれぞれ形成する第１の膜および第２の膜は、ポリプロピレン（ＯＰＰ）、二軸配向ポリアミド（ＯＰＡ）、アルミニウム（Ａｌｕ）、ポリエチレン（ＰＥ）、酸化アルミニウムテレフタル酸ポリエチレン（ＡｌＯｘ  ＰＥＴ）、およびエチレンビニルアルコール（ＥＶＯＨ）のうち少なくとも１つの層を備える多層の膜を含む。
・有利なことには、袖体、または、閉止デバイスの全体さえも、高密度ポリエチレン（ＨＤＰＥ）および／または低密度ポリエチレン（ＬＤＰＥ）および／またはポリプロピレンから作られる。
・有利なことには、基部は、柔軟な袋を形成するために、「裏側と裏側」の方式の封止によってジャケットに対して封止される。
【００３０】
この特徴は、基部の周囲の補強を提供し、したがって、装置が空および／または充填および／または一部充填であろうと、装置の安定した保持を提供するように構成される。
・有利なことには、ジャケットの基部との封止は、高さｈ１にわたって長手方向に延び、包装が、高さｈ２にわたって長手方向に延び、割合ｈ１／ｈ２が０．００１から０．１の間であり、優先的には０．００１から０．０５の間である。
・有利なことには、袖体はジャケットに封止される。
・有利なことには、ジャケットの袖体との封止は、高さｈ３にわたって長手方向に延び、包装が、高さｈ２にわたって長手方向に延び、割合ｈ３／ｈ２が０．００１から０．２の間であり、優先的には０．１から０．１５の間である。
・有利なことには、ジャケット／袖体の封止は、その高さｈ３と袖体の断面との間の割合を、０．００１から１の間であって、優先的には０．００１から０．６の間で有する。
・有利なことには、袖体は袋より剛性がある。
【００３１】
この特徴は、装置の使用の間の付着のより良好な案内を提供する。
・有利なことには、袖体は楕円形の基部を有する。袖体のこの楕円形の形態は、本装置の封止に関して、袖体のジャケットとのより良好な協働を提供する。また、この楕円形は、製造の容易性を高める。
・有利なことには、閉止デバイスは、袖体と協働するように構成される付属物を備える。
・好ましくは、付属物は袖体に取り外し可能に固定される。
・好ましくは、袖体は、様々な付属物を受け入れるように構成される。
・有利なことには、本装置は、袖体に固定され、袖体を下向きにした状態で装置を鉛直に保持することを可能にするように構成される付属物を有する。そのため、閉止デバイスは、包装と作業面との間の接触境界面を形成する。
・有利なことには、使用者によって付与される有利なことには圧力である力の作用の下で、互いから分かれるように構成され、使用者の側で力のないときに袋の内側へのアクセスを防止するように互いへと相互に近付くように構成されるシリコーンリップが、付属物に設けられる。
・有利なことには、付属物は、袖体に捩じ込むように、または、袖体に回転により関節接合される、または、袖体にスナップ留めされるように構成されるストッパである。
・有利なことには、袋は、使用者によって付与される手動の圧力の作用の下で圧縮するように、および、使用者によって付与される圧力のないときのその初期の形態へと戻るように、構成される。
【００３２】
したがって、装置の初期の形態は、装置の使用の後に再び見出される。この特徴は、各々の使用の後、袖体が上向きの状態で、鉛直な位置での保持を許容する。これは、圧縮された後であっても、包装の良好な安定を提供もする。
・有利なことには、袋は、基部が使用者によって付与される手動の圧力の作用の下で圧縮し、圧縮されたままであるように構成される。
【００３３】
したがって、酸素に対する障壁を必要とする製品の場合、袋は、袋の内側の製品と周囲空気との間のあらゆる接触を防止するために、袋の圧縮された形態を維持する。
・有利なことには、本装置は、非限定的な例として、チョコレートスプレッドなど、食料製品を収容できる。
・有利なことには、本装置は、非限定的な例として、クリーム、粉末、液体、またはゲルなどの化粧製品や、非限定的な例として、グリス、シリコーン、塗料、または粉末などの工業製品や、例えばゲルなどの栄養製品や、例えばゲル、クリーム、または液体などの医薬または眼科の製品を収容できる。
・有利なことには、本装置は、本発明の装置に少なくとも１つの圧力を付与することで付着され得る任意の種類の製品を収容できる。
・有利なことには、本発明は、変形について、その変形能力を通じてより良好な廃棄の管理を提供する。
・有利なことには、本装置は、先行技術の包装と比較して、材料の消費（同等の容積についての先行技術の瓶と比較して最大３倍でより少ない重量）、多層の膜（同等の容積についての先行技術と比較して最大４０％でより小さい表面積）、および空間を低減することで、環境保護に責任を負った設計から生まれる。
【００３４】
先に記された関連する特徴、特には、包装の柔軟性、変形される包装の能力、封止の種類、流路、および基部の形態に関する特徴は、それらが組み合わされるときに相乗効果で有利に働くが、互いから独立して利用されてもよく、それでもなお、特定の技術的利点を与えることができることに留意されたい。したがって、本発明は、前述した特徴のうちの１つだけ、または、一部だけの組み合わせを有する包装を記載している。
【００３５】
図１、図２、図３、図４、図５、図６、および図７によって提示されている非限定的な例として供する可能な一実施形態によれば、本発明１は柔軟なジャケット２０１を備えている。このジャケット２０１は膜から成る。この膜は、それ自体において閉じられる。この膜は、それ自体で閉じられると、錐台を形成する。本発明の文脈において、錐台は、円形の断面に限定されることのない任意の形態の断面を有し得る。この錐台は、第１の端と第２の端とを有する。こうして形成された錐台の断面は、第１の端に近付くにつれて狭まる。
【００３６】
この錐台は、１ｍｍから２０ｍｍの間で、優先的には１ｍｍから５ｍｍの間で、有利なことには５ｍｍに等しいジャケットの幅にわたって膜の「裏側に対して外皮」の封止によって製作される。この種類の封止は、使用者による装置のより良好な把持と共に、より一様な変形を提供する。
【００３７】
膜は、好ましくは多層の膜である。
【００３８】
基部２０２はジャケット２０１に封止される。ジャケット２０１および基部２０２は、「裏側と裏側」の方式の封止４００によって封止される。この封止４００は第２の端において実行される。したがって、ジャケット２０１および基部２０２は袋２００を形成する。基部２０２は、柔軟な材料から形成される。この柔軟な材料は、例えば、ジャケット２０１の材料と同じ性質のものであってよく、優先的には、単一の層または多層の柔軟な膜であってよく、有利なことには、ＯＰＰ／ＯＰＡ／ＡＬＵ／ＥＰまたはＯＰＰ／金属化ポリエステル／ＰＥから作られ得る。
【００３９】
本発明は、閉止デバイス１００を備える。この閉止デバイス１００は、最小の断面を持っている方であるジャケット２０１の第１の端において、封止されている。閉止デバイス１００は、例えば、袖体１０２を備え得る。優先的には、袖体１０２はジャケット２０１より剛性がある。この袖体１０２は、一実施形態によれば、袋２００に収容されている製品と接触しないその外面においてネジ山１０５を有してもよい。このネジ山１０５は、閉止デバイス１００の付属物１０１に嵌まるように供し得る。付属物１０１は、ストッパ（キャップ、ポンプなど）、または、例えば蓋１０６を有するシリコーンリップ１０４を有する支持体であり得る。
【００４０】
このようにして製作されたこの装置１は、袖体１０２が上向きの状態で、鉛直位置において非常に良好な安定性を有し、そのため、ジャケット／基部の封止４００上に置いておける。この封止４００は、「裏側と裏側」の方式の封止である。そのため、この封止は、その厚さがジャケット２０１の厚さと基部２０２の厚さとの合計に等しいため、より大きな剛性を有している。この安定性は、装置１が充填であっても、空であっても、一部充填であっても得られる。
【００４１】
装置１は、空になると、その袋が柔軟であるため、嵩が小さくなるという利点も有している。ストッパが開いた状態で袋２００を圧縮することと、袋２００に付与される圧力の力が停止される前にストッパが再び閉じられる場合にこの形を維持することとが可能である。
【００４２】
最後に、一実施形態によれば、圧力の力が停止された後にストッパが開いたままである場合、装置１はその初期の形を取り戻し、袖体１０２が上向きの状態で鉛直に保持することを可能にする。
【００４３】
別の実施形態によれば、圧力の力が停止された後、ストッパの状態と無関係に、装置１はその変形された形を維持する。これは、例えば、柔軟な袋に残っている製品を周囲空気とのあらゆる接触から保護する利点を有している。
【００４４】
別の実施形態によれば、圧力の力が停止された後にストッパが開いたままである場合、装置１はその初期の形を部分的に取り戻す。
【００４５】
本発明が変形可能な袋２００を有しているという事実は、内側に収容されている製品のより良好な放出を可能にする。この放出と共に、この装置１の使用の取り扱い性および正確性を容易にするために、柔軟な袋２００は、変形について向上された能力を有しており、標準的な力を持つ使用者について、袋２００を片手で変形させることができる。
【００４６】
本発明の基部２０２は、有利なことには多角形、優先的には丸められた角を持つ多角形、優先的には丸められた角を持つダイヤモンドの形態での多角形の、任意の形状を有する。基部２０２の形状は、ジャケット２０１が基部２０２の輪郭の形態と合致するように、ジャケット２０１と協働することができる。基部２０２によって形成され、好ましくは丸められた、各々の角において、ジャケット２０１は流路５００と称される通路を形成し、流路５００は、袖体１０２の方向で基部２０２から延びる。したがって、流路５００は、標準的な力の使用者によって付与される圧力があるおよび／またはないとき、袋２００の内側に形成される。優先的には、丸められた角を持つ多角形の形状であって、有利なことには、丸められた角を持つダイヤモンドの形状は、外部圧力がないおよび／またはあるとき、丸められた角において袋２００に収容されている製品の集合を支援する流路５００を形成することを可能にする。材料のこれらの集合は、注出される材料とジャケット２０１の内壁との間の接触面に対する注出される材料の質量の割合を、局所的に増加させる。この増加は、袋２００の外側に向かう材料の降下を支援する。付与される圧力がまったくないとき、当の内容物の粘度に従って、重力は、材料のこれらの集合をもたらし、それによってこれらの流路５００に沿う集合の流れを支援するのに十分であり得る。
【００４７】
本発明は、０．００１から１の間、優先的には０．２から０．７の間、優先的には０．４から０．５の間で変わり得る、袖体１０２の周囲と基部２０２の周囲との間の割合を有している。本発明は、０．００１から０．１の間であり、優先的には０．００１から０．０５の間で変わり得る、ジャケット／基部の封止の高さ４０１と装置の高さ２との間の割合を有している。最後に、本発明は、０．００１から０．２の間であり、優先的には０．１から０．１５の間で変わり得る、ジャケット／袖体の封止の高さ３０１と装置の高さ２との間の割合を有している。
【００４８】
これらの寸法は装置１の安定性を向上する一方、良好な能力を提供する。また、柔軟な袋２００によって形成される立体角は、柔軟な袋２００に収容されている製品の良好な流れを提供する。
【００４９】
本発明による装置の例が、図を参照してより詳細に記載されることになる。
【００５０】
図１ａは、装置１の斜視図を示している。付属物１０１を閉じる蓋１０６が、装置１の袖体１０２に位置決めされている。袋２００は、ジャケット／基部の封止４００によって鉛直に保持されている。この封止４００は、「裏側と裏側」の封止である。この封止４００は、封止４００の厚さがジャケット２０１の厚さおよび基部２０２の厚さの合計と等しいため、ジャケット２０１より剛性がある。より大きい厚さはより大きい剛性を提供する。この剛性は、基部２０２の輪郭に位置付けられる。このより剛性のある輪郭は、本装置１のより良好な保持を鉛直に提供する。
【００５１】
図１ｂは、装置１の斜視図を示している。付属物１０１を閉じる蓋１０６が、装置１の袖体１０２に位置決めされている。袋２００は、袖体１０２が下向きの状態で、付属物１０１によって鉛直に保持されている。この位置において、装置１は、それが収容する製品を、単に重力によって袖体１０２に向かって下降させることができ、そのため、製品の放出が次の使用の間に容易にされる。
【００５２】
図１ａおよび図１ｂは、ジャケットの外皮と裏側との封止領域２０５を示しており、封止領域２０５は、それ自体に折り重ねられるとき、その錐台の形を維持する。点線２０６は、錐台の内側に置かれたジャケットの端を示しており、その端の外面は、錐台の外側に置かれた端の内面と接触している。
【００５３】
図２は、カバー１０６のないときの装置１の斜視図を示している。可能な実施形態によれば、シリコーンリップ１０４は、装置１の袖体１０２に位置決めされている付属物１０１の一部を形成している。袋２００は、ジャケットより剛性のあるジャケット／基部の封止４００によって鉛直に保持されている。
【００５４】
図３は、下からの装置１の図を示している。可能な一実施形態によれば、袋２００の基部２０２は、丸められたダイヤモンドの形を有している。この実施形態による４つの流路５００の相対的な位置は、非限定的な例としては、印がつけられてもいる。これらの流路５００は、基部２０２の幾何学的形態の丸められた角の近くに位置付けられている。
【００５５】
袖体１０２が上向きの状態での鉛直位置では、内容物または製品の全体が、袋２００の基部２０２に向かって降下することになる。しかしながら、袋２００を形成するためのジャケット２０１と関連する基部２０２の形状は、装置１の内側で流路５００を作り出すことを許容する。これは、この実施形態によれば、基部２０２の丸められた角を持つダイヤモンドの形状は、袖体１０２が下向きとされ、蓋１０６が取り外された状態で、袋２００に付与される標準的な力の使用者によって付与される圧力があるおよび／またはないとき、袋２００に収容されている製品を降下させることを可能にするからである。優先的には、袋２００の形状は、好ましいとされる流路５００を必要とすることで、流れをより容易にする。同様に、これらの好ましいとされる流路５００は、製品を袋２００から空にするために必要な圧力の強さを小さくする。したがって、製品の放出は容易にされる。さらに、力の低減があれば、使用者は、取り扱い性において、送られる一回分の量の正確性および操作性を得る。
【００５６】
図４および図５は、蓋１０６のないときの装置１の断面における２つの図を、それぞれ前方および側方で示している。シリコーンリップ１０４は、ネジシステム１０５によって装置１の袖体１０２に位置決めされている付属物１０１の一部を形成している。袖体１０２はジャケットにおいて封止されている。袋２００は、丸められたダイヤモンドの形態でジャケット／基部の封止４００によって鉛直に保持されている。装置１の基部２０２は、「裏側と裏側」の方式の封止によって、ジャケット２０１において封止されている。基部２０２およびジャケット２０１は、一実施形態によれば、製造の容易性、美的訴求力、および取り扱い性の理由のため、同じ材料から、および、好ましくは同一の膜から、製作される。基部２０２のジャケット２０１との封止は、封止の剛性の補強を提供する。さらに、基部２０２は、ジャケット２０１の壁に実質的に垂直な平面に沿って延び、ジャケットの形を要求されるように維持し、全体の剛性を補強する。剛性のこの補強は、装置１に収容されている製品の量と無関係に袖体１０２が上向きの状態で、装置１の安定した保持を許容する。長手方向におけるジャケット／基部の封止の高さと、長手方向におけるジャケット／袖体の封止の高さとにそれぞれ対応する寸法４０１と３０１とは、同じく留意されるべきである。同様に、長手方向における装置１の高さ２がこれらの２つの図において記入されている。
【００５７】
図６は、蓋１０６がある状態で変形されている装置１の側方からの断面図を示している。袋２００は変形されている。このため、基部２０２と、「裏側と裏側」の方式のジャケット／基部の封止４００とが、同じく変形されている。特には、袋は、基部２０２がしわくちゃにされる、または、圧縮されるように構成される。最後に、ジャケット２０１の「裏側に対して外皮」の封止２０５も変形されている。図６は、変形する袋２００の全体の能力を示す本装置の変形を描写している。この変形は、典型的には、使用者の片手のみによって、または、両手によって、使用者によって付与される圧縮から生じる。閉止デバイスの剛性と、特には袖体の剛性とは、使用者によって付与される手動の力の作用の下でのこの変形および容積の低減を許容しない。典型的には、閉止デバイスと、特には袖体とは、ポリプロピレン、高密度ポリエチレン（ＨＤＰＥ）、ポリ塩化ビニル（ＰＶＣ）などの硬質プラスチック材料から製作される。
【００５８】
図７は、変形された装置１の斜視図を示している。可能な一実施形態によれば、蓋１０６が、装置１の袖体１０２に位置決めされている付属物１０１を閉じる。袋２００は変形されている。変形は、基部２０２において見ることができる。変形は、ジャケット／基部の封止４００において見ることができる。最後に、変形は、ジャケット／ジャケットの封止２０５において見ることができる。
【００５９】
そのため、図６および図７は、封止２０５、４００、および基部２０２を含め、袋２００の全体が変形可能であることを示す袋２００の変形を示している。変形されるこの能力は、袋２００に優れた取り扱い性を与え、製品の非常に良好な放出を可能にする。
【００６０】
一実施形態によれば、袋２００は、装置１が変形されていないときのその容積の少なくとも３分の１だけ、好ましくは少なくとも２分の１だけ、有利なことには２分の１を超えて、袋２００の容積を縮小することを可能にする、変形の向上された能力を有する。圧力を付与することで袋２００の容積を縮小するためのこの適合性は、袋２００に収容されている製品の非常に良好な放出を確保する。袋２００は、容積のこれらの縮小が、両手および好ましくは片手だけを用いる使用者によって付与される手動の圧力によって得られるように構成される。
【００６１】
一実施形態によれば、ジャケット２０１および基部２０２は、ジャケット２０１へと付与される手動の圧力の作用の下、包装の長手方向軸に対して対称に配置される２点が接触させられるように十分に柔軟である。これは、例えば、ジャケットの内面にわたって分布されている製品を効果的に集合させることを可能にする。面同士が接触させられるとき、面において分布されている製品が集合し、それを閉止デバイスに向かって落としていくことがより容易である。
【００６２】
優先的には、ジャケット２０１および基部２０２は、袋２００が、使用者による手動の動作の作用の下で、袖体１０２が動かない状態のまま、基部および袖体を通過する軸の周りに捩じられ得るように構成される。典型的には、使用者は袖体１０２を自身の片手で保持し、基部２０２を自身の反対の手で捩じる。有利なことには、ジャケット２０１および基部２０２は、ジャケット２０１および／または基部２０２が、使用者による手動の動作の作用の下で、基部２０２および袖体１０２を通過する軸の周りに少なくとも３６０°で捩じられ得るように構成される。そのため、この構造上の構成は、製品のより良好な放出、より良好な取り扱い性、それによる付着における正確性の向上を可能にする。
【００６３】
特に有利な特徴は、基部２０２の形状の適切な選択による包装１の内側の流路５００の形成に関する。
【００６４】
使用者による包装１への力がない場合、すなわち、袖体１０２が上向きの状態で包装１が置かれている場合、重力だけが包装１の内容物に対して降下作用を有している。基部２０２の幾何学的形状は、通路５００を形成するようにジャケット２０１と協働することができる。この状況では、流れは包装１の底の方向において起こり、流路５００に材料の集合があり、材料の質量が増加する一方、包装１の内壁との材料の接触面は同一のままであり、したがって、内容物の粘度に依存する流れの局所的な増加を作り出す。
【００６５】
使用者による包装への力がある場合、包装１の袋２００は柔軟であり、そのため使用者は、封止された袖体１０２における開口が自由であるときに袋２００の内容物を抽出するように袋２００に圧力を付与できる。使用者によって付与される圧力は、袋２００の隣接する面を一体にする。この隣接する面を一体にすることは、製品の局所的な集合を可能にする。これは、変形の作用の下ではるかに顕著な通路５００の経路指定を可能にする。したがって、局所的に、材料の集合が増加し、製品のより良好な流れを提供し、これが流路５００の効果を際立たせている。したがって、この方法は、特には粘性流体にとって、より良好な放出を可能とする。
【００６６】
有利なことには、非限定的な例を用いれば、図３に示しているような丸められた角を持つダイヤモンド型の基部２０２の形状の使用は、丸められた角に自然に位置付けられている流路５００を形成することを可能にする。これらの流路５００の位置が、本発明の包装１が受ける力だけでなく、包装１の基部２０２および／またはジャケット２０１の形状にも関することは、述べられるべきである。
【００６７】
さらに、ダイヤモンドの形全体は、例えば同じ手の指で２つの反対の角に２つの向かい合う力を付与することといった、２つの反対の角において押してそれらを一体にすることで、ダイヤモンドの他の２つの角を縮小することを可能にする。したがって、これらの他の２つの角に隣接する面同士が、対で一体により近付くように、または、それらが接触しさえするまで、移動する。これは、面に分布されている製品を効果的に集合させることを可能にする。したがって、この実施形態は製品の放出を向上する。円形の断面を持つジャケットは、この面同士を一体にすることを可能にしない。
【００６８】
第２の特に有利な特徴は、ジャケット２０１において有効とされる封止の方式に関する。これは、ジャケット２０１を形成するための「裏側に対して外皮」の方式の封止２０５が、機能的および美的の両方において、数多くの利点を提供するためである。この方式の封止は、「外皮に対して外皮」または「裏側に対して裏側」の封止との比較において、装置の内面または外面にひれ状のものを残さない。ひれ状のものは、例えば、「裏側と裏側」の封止から生じる外部のひれ状のものが、包装の表面に、包装の残りの部分より剛性のある突出する材料の帯を残すといった、数多くの利点を有する。この材料の帯は、手で保持されるときに心地よくない。さらに、材料の帯は、ジャケットの変形に抗する突条を形成するため、製品の放出を低減する。したがって、使用者によって引き起こされる変形が軽減される。「外皮に対して外皮」の封止の場合、ひれ状のものは、包装の内側に置かれ、そのため手における保持が邪魔されないが、この内部のひれ状のものによって形成される角が、包装の変形に対する抵抗をもたらし、製品の良好な放出を提起する。
【００６９】
逆に、「裏側に対して外皮」の封止の使用は、内部または外部のいずれにも、ひれ状のものを形成しない。この種類の封止の場合、包装１は、触れるのも見るのもはるかにより一様性がある。また、この種類の包装の取り扱い性および変形を考慮すると、「裏側に対して外皮」の封止は、不可避的に突条を形成するひれ状のものの存在を通じてその変形の大きさを低減する他の種類の封止と比較して、ジャケット２０１の全体の向上された変形を提供する。したがって、「裏側に対して外皮」の封止は、より大きな変形と、それによるより大きな圧縮とを提供し、製品の放出、包装の取り扱い、使用者の快適性、延いては、それらからの付着結果の正確性において、向上をもたらす。
【００７０】
本発明は、収容される物質として例えばチョコレートスプレッドが用いられる食料部門において特に有利な用途を見出せる。産業、化粧品、家庭用、および健康の部門で、特に有利な用途も見出せる。
【００７１】
本発明は、前述の実施形態に限定されず、請求項によって網羅されるすべての実施形態に拡張する。
【００７２】
一実施形態によれば、本発明は、本発明による少なくとも１つの包装を製造するための方法にも関する。
【００７３】
図８は、一実施形態による方法の様々なステップと共に、それを製作させることを可能にする産業機器を描写している。この方法は、膜においてジャケットの模様を切る第１のステップを含んでいる。好ましくは多層である膜は、ロールから来る。このロールは、切断機械１０００によって解かれる。次に、デバイス２０００は、ジャケットに錐台の形を与えるために、ジャケットの模様を操作し、ジャケットをそれ自体において閉じさせる。この操作機は、封止デバイス３０００と協働することができる。
【００７４】
デバイス３０００は、ジャケットの内面および外面と接触することができる加熱デバイスを備えている。方法のこの段階において、ジャケットはそれ自体において閉じて保持され、錐台を形成する。この構成において、加熱デバイスは、ジャケットの「裏側に対して外皮」の封止を実行する。この封止は、ジャケットの長手方向において実行される。この封止は、ジャケットの長手方向においてジャケットの全長にわたって実行される。したがって、この封止は、先の図に示している領域２０５を形成する。この封止は、１ｍｍから２０ｍｍの間で、優先的には１ｍｍから５ｍｍの間で、有利なことには５ｍｍに等しいジャケットの幅にわたって実行される。
【００７５】
次に、錐台搭載操作機４０００が、前記錐台を封止ステーション６０００に位置決めする。この封止ステーションは、最初に、錐台および袖体を受け入れる。袖体はデバイス５０００によって供給される。封止ステーション６０００では、袖体が、最小の断面を持つ錐台の部分において封止される。次に、ステーション７０００が、袖体で封止されたジャケットを、基部およびジャケットを整えて封止するためのステーション１００００へと移送する。ステーション８０００は、ジャケットの基部との封止を目的としてジャケットを形成する。基部は膜から切断され、膜の材料は、優先的には、ジャケットの材料と同一である。ステーション９０００は、膜のロールから基部を切断する。ステーション１００００に来ると、基部は、最大の断面を有する錐台の部分において封止される。この封止は、「裏側に対して裏側」の封止である。この封止は、１ｍｍから２０ｍｍの間で、優先的には１ｍｍから１０ｍｍの間で、有利なことには１０ｍｍに等しいジャケットの長手方向における高さを有している。
【００７６】
最後に、任意には、デバイス１１０００は、新たに形成された袋に封止試験を実行する。次に、操作機１２０００は、完成された品のための蓄積機ベルト１３０００に袋を置く。
【００７７】
本装置の充填に関して、複数の実施形態がある。
−  一実施形態によれば、本発明は、袖体１０２の封止の後で基部２０２の封止の前、収容される製品で充填され得る。次に、充填は、続いて基部２０２を受け入れるように意図されている第２の端を通じて行われる。
−  別の実施形態によれば、本発明は、袖体１０２の封止の前で基部２０２の封止の後、収容される製品で充填され得る。次に、充填は、続いて袖体１０２を受け入れるように意図されている第１の端を通じて行われる。
−  別の実施形態によれば、本発明は、袖体１０２の封止の後で基部２０２の封止の後、収容される製品で充填され得る。次に、封止は袖体１０２を通じて行われる。
【００７８】
本発明は、少なくとも２つの異なる方法を介して、包装に収容される製品の保護を提供する。第１の方法は、適用の分野に応じて、非限定的な例としては紫外線など、特定の放射を遮断する材料の使用に関係する。
【００７９】
本発明の利点のうちの１つは、その大きさに関する。これは、様々な寸法に従って本発明を実施する能力が、この包装を、非限定的な例としては医療、産業、および食料の用途について、使用することを可能にするためである。有利なことには、使用される材料の厚さは、本発明の適用の分野の要件および制約に合致するために最適化され得る。
【００８０】
本発明は、製品に触れたときの非常に現実的な知覚を有している。この利点は、精細な膜の使用と、先に指示した特定の材料の使用とによって部分的に得られる。製品に触れるこの知覚は、特には流体が粘性または非一様であるとき、使用者による製品の放出のより良好な制御を与える。また、使用者は、本発明の使用においてより良好な制御とより高い正確性とを提供する、製品に触れる知覚を有する。
【００８１】
本発明は、包装の外面が、宣伝および／または情報の目的のための任意の種類の模様または文字の印刷を可能にする面を有しているため、包装の重要な個別化を可能にする。非限定的な例としては、ロゴ、画像、写真、文字、タイトル、または、使用のための指示を印刷することが可能である。
【００８２】
本発明は、使用される材料の少なくとも一部が再利用され得るため、少なくとも部分的に再利用可能であるという利点を有している。特定の有利な実施形態によれば、すべての包装は再利用され得る。
【００８３】
同様に、本発明は、包装に使用される材料の量における相当の低減を提供し、それによって同時に、製造コストの低減をもたらすと共に、包装の製作の環境への影響においても低減をもたらす。したがって、例えば、本発明は、先行技術と比較して同等の容積についての包装に対して使用される材料の量に、少なくとも２倍の低減をもたらす。材料の量におけるこの低減は、先行技術と比較して同等の容積についての包装の重量において、少なくとも３倍の低減を伴う。また、引き続き本発明の環境保護の観点では、その設計と使用される材料とは、その取り扱い性、その柔軟性、およびその幾何学的設計を通じて、先行技術と比較して少なくとも１０％の追加の製品の放出を可能にする。最後に、その設計および形状を通じて、本発明は保管空間における低減を提供し、したがって、同じ量の製品をより低コストで運搬することを可能にする。
【符号の説明】
【００８４】
１  包装
２  長手方向における包装の高さ
１００  閉止デバイス
１０１  付属物
１０２  袖体
１０３  袖体の断面
１０４  シリコーンリップ
１０５  ネジ山
１０６  蓋
２００  袋
２０１  ジャケット／錐台
２０２  基部
２０３  基部の小さい断面
２０４  基部の大きい断面
２０５  ジャケット／ジャケットの封止
３００  ジャケット／袖体の封止
３０１  長手方向におけるジャケット／袖体の封止の高さ
４００  ジャケット／基部の封止
４０１  長手方向におけるジャケット／基部の封止の高さ
５００  流路
１０００  ジャケット２０１を切断するための機械
２０００  ジャケット２０１のための操作機
３０００  ジャケット２０１の「裏側に対して外皮」の封止２０５のためのステーション
４０００  錐台の操作機
５０００  袖体１０２を供給するステーション
６０００  ジャケット／袖体の封止３００のためのステーション
７０００  移送ステーション
８０００  ジャケット２０１を整えるためのステーション
９０００  基部２０２を切断するための機械
１００００  基部２０２を整えるためと、「裏側と裏側」のジャケット／基部の封止４００とのためのステーション
１１０００  封止試験ステーション
１２０００  操作機
１３０００  完成された品のための蓄積機ベルト
【図１ａ】
0006518758.tif 000002
【図１ｂ】
0006518758.tif 000003
【図２】
0006518758.tif 000004
【図３】
0006518758.tif 000005
【図４】
0006518758.tif 000006
【図５】
0006518758.tif 000007
【図６】
0006518758.tif 000008
【図７】
0006518758.tif 000009
【図８】
0006518758.tif 000010